(57)【要約】【目的】  ミシンのコントローラの制御にかかわり、特にコントローラ操作中の速度を制御して、能率化と安全性を備えること。【構成】  操作量を電気信号に変換するコントローラ５と、該コントローラ５にて速度制御して駆動するミシンモータ４と、該ミシンモータ４を任意の速度で自動運転させるための速度記憶手段８及び自動運転指令手段９と、自動運転を始動させるための始動操作手段１０と、前記ミシンモータ４の自動運転を解除して通常の運転にする解除手段１１と、これらを制御する中央処理装置２とをそれぞれミシン機枠１に備えること。【選択図】        図１
2004249143.tif 000002
【特許請求の範囲】
【請求項１】
操作量を電気信号に変換するコントローラと、該コントローラにて速度制御して駆動するミシンモータと、前記コントローラによるミシンの運転中に前記ミシンモータを前記コントローラによる速度を維持する自動運転を始動させるための始動操作手段と、前記コントローラによる速度を記憶するための速度記憶手段と、前記ミシンモータの自動運転を解除して通常の運転にするための解除手段とを、備えてなることを特徴とするコントローラの自動運転機能を備えたミシン。
【請求項２】
操作量を電気信号に変換するコントローラと、該コントローラにて速度制御して駆動するミシンモータと、前記コントローラによるミシンの運転中に前記ミシンモータを前記コントローラによる速度を維持する自動運転を始動させるための始動操作手段と、前記ミシンモータの速度を検出する速度検出手段と、前記速度検出手段による速度を記憶するための速度記憶手段と、前記ミシンモータの自動運転を解除して通常の運転にするための解除手段とを、備えてなることを特徴とするコントローラの自動運転機能を備えたミシン。
【請求項３】
前記始動操作手段と前記解除手段とをミシン機枠の顎部にそれぞれ独立して設けたことを特徴とした請求項１又は２に記載のコントローラの自動運転機能を備えたミシン。
【発明の詳細な説明】
【技術分野】
【０００１】
本発明は、ミシンのコントローラの制御にかかわり、特にコントローラ操作中の速度を制御して、能率化と安全性を備えたコントローラの自動運転機能を備えたミシンに関する。
【背景技術】
【０００２】
従来、モータ駆動のミシンにおける速度制御は、指定速度を定めて駆動・停止させるタイプのものと、フット式のコントローラと呼ばれる足踏み操作によりミシンモータの速度を加速、減速させるタイプのものが存在している。
【０００３】
一般に、縫製物の縫いにおいて、単に直線を縫うというものでなく、カーブの個所や短い部分を縫うことが多いため、頻繁に手操作を要求されることが多い。
【０００４】
この点で足踏み操作でのコントローラによる縫製作業では、手を開放し、両手による縫い操作を可能としつつ、複雑な部分等の細かい箇所でも、その速度を自由に変更させ、その縫製箇所に最適の速度で足踏みの加減で調節していた。これによって優れた縫製作業ができるものであった。
【発明の開示】
【発明が解決しようとする課題】
【０００５】
そのような優れた縫製作業ができるコントローラによる操作も、縫製物によっては、例えばカーテン、テーブルセンターなどの比較的長い距離を縫うものでは、縫う間中、コントローラを踏み続けなければならないものである。この点では、指定速度を定めて、手，指でＯＮ／ＯＦＦさせるタイプのものが有利であった
。また、近年自動刺しゅうモードでミシンによる刺しゅう縫いをするミシンが普及しているが、これらは比較的多くの針数のものであり、その一模様を完成させるために数分から十数分もコントローラを操作しなければならなかった。このように、直線部分が続く場合など、略同じ速度で長い時間縫うときには、コントローラを踏み続けなければならない不都合があった。
【０００６】
さらに前記の長い距離を縫うものでもその距離に続いて短い部分を縫製するためにすぐまたコントローラの操作を行ないたいという要求がある。
【課題を解決するための手段】
【０００７】
そこで発明者は、前記課題を解決すべく、鋭意，研究を重ねた結果、その発明を、
操作量を電気信号に変換するコントローラと、該コントローラにて速度制御して駆動するミシンモータと、前記コントローラによるミシンの運転中に前記ミシンモータを前記コントローラによる速度を維持する自動運転を始動させるための始動操作手段と、前記コントローラによる速度を記憶するための速度記憶手段と、前記ミシンモータの自動運転を解除して通常の運転にするための解除手段とを、備えてなるコントローラの自動運転機能を備えたミシンとすることで課題を解決した。また、操作量を電気信号に変換するコントローラと、該コントローラにて速度制御して駆動するミシンモータと、前記コントローラによるミシンの運転中に前記ミシンモータを前記コントローラによる速度を維持する自動運転を始動させるための始動操作手段と、前記ミシンモータの速度を検出する速度検出手段と、前記速度検出手段による速度を記憶するための速度記憶手段と、前記ミシンモータの自動運転を解除して通常の運転にするための解除手段とを、備えたコントローラの自動運転機能を備えたミシンすることで課題を解決した。その始動操作手段や前記解除手段はミシン機枠の顎部にそれぞれ独立して設けることが操作上好ましい。
【発明の効果】
【０００８】
本発明においては、第１に同じ速度で長い時間を縫う場合や、種々の場合に対応して極めて能率的な縫製作業ができ、第２に自動運転の始動をミシン機枠１箇所で行い始動・解除を目視しつつ安全且つ確実にできる等の効果を奏する。
【０００９】
これらの効果を詳述すると、直線部分が続く場合など、略同じ速度で長い時間縫う場合など、一定速度を維持することが好ましい場合は、自動運転を始動させるための手段を備えているために、手又は足による操作はしなくとも、一定の運転速度で自動運転としての縫製作業ができ、従来のように、コントローラを踏み続けなければならない面倒な点をなくし、極めて能率的な縫製作業ができる。ひいては、作業者の疲労度を最小限度にできる利点もある。
【００１０】
また、縫製によっては、前記のように長い距離を縫うものでも、その距離に続いて短い部分を縫製するために直ぐまたコントローラを自動運転にしたり、手作業したい場合が存在するが、本発明では、自動運転を行った後に、手動にしたい場合には、ミシンモータの自動運転を解除して通常の運転にする解除手段を設けてあるため、直ちに自動を解除でき、その短い部分を縫製し、次いで長い場合には、再び、自動運転にて縫製でき、このような場合でも、極めて能率的な縫製作業ができる効果がある。
【００１１】
また、自動運転を始動させるための手段と、自動運転を解除して通常の運転にする解除手段とをぞれぞれミシン機枠に備えているため、その始動・解除は、目視しつつ安全且つ確実に操作できる利点がある。
【００１２】
次に、顎部に始動させるための手段及び解除手段を設けてあると、極めて操作しやすくできるし、また、始動させるための手段及び解除手段を同じスイッチにすると、より構成も簡単でしかも操作も簡易にできる利点がある。
【発明を実施するための最良の形態】
【００１３】
ミシンの運転中に、コントローラによる通常の可変速度制御と、コントローラ操作中の速度を一定に維持する速度制御である、自動運転速度制御とに駆動制御するために、操作量を電気信号に変換するコントローラと、該コントローラの操作量により速度制御して駆動するミシンモータと、該ミシンモータをコントローラ操作中の速度を一定に維持する速度制御である、自動運転速度で自動運転させるための速度記憶手段及び自動運転指令手段と、自動運転を始動させるための始動手段と、自動運転を解除して通常の運転にする解除手段とを備えることで、課題を解決した。
【実施例】
【００１４】
次に本発明の実施例を図面に基づいて詳細に説明すると、図３及び図４は本発明の略示図である。そのミシンは、図１に示すように、予めコンピュータプログラムが組み込まれ、中央処理装置（ＣＰＵ）２を含む制御装置により種々の刺しゅう縫いが可能に構成され、通常縫い及び刺しゅう縫いが可能な複合刺しゅうミシンや、刺しゅう縫いのみが可能な刺しゅうミシンが含まれる。
【００１５】
そのミシン機枠１には、各種内蔵模様を選択するための模様選択キー３ａを備えた模様選択手段３が配設されている。ミシン機枠１内には公知の駆動モータとしてのミシンモータ４が内蔵されている。
【００１６】
コントローラ５は、ミシンモータ４の速度を制御する足踏み式として構成されている。そのコントローラ５には、操作量を電気信号に変換する変換手段５ａが内蔵されている。
【００１７】
駆動回路６は、コントローラ５の速度制御信号に基づいてミシンモータ４を駆動させるように構成されている。
【００１８】
速度検出手段７は、ミシンモータ４の速度（回転数）又は該速度に応じた電流値（電流量）を検出するように構成され、前記中央処理装置（ＣＰＵ）２に接続されている。
【００１９】
速度記憶手段８（回転数を記憶する手段であったり、或いは電流量を記憶する手段である。）は、自動運転が始動された直後の自動運転速度を記憶する手段であり、ミシンモータ４を任意の速度で自動運転させるためにミシン機枠１に内蔵されている。
【００２０】
自動運転指令手段９は、自動運転されて記憶された速度を指令するためのものであり、中央処理装置（ＣＰＵ）２に接続されている。
【００２１】
その自動運転しているときに速度検出手段７にて検出した自動運転速度と、自動運転されたときに速度記憶手段８に記憶された記憶速度とが比較され、両者が同じ速度である場合のみ自動運転指令手段９にて判断されて自動運転が続けられるように構成されている。すなわち、自動運転速度が記憶速度と一致するように構成されている。これは、何等かの原因にて、自動運転速度が変化した場合でもその記憶された自動運転速度を保持するためのものであり、帰還回路が構成されている。
【００２２】
このような動作をする速度検出手段７と速度記憶手段８と自動運転指令手段９とで自動運転が自己保持される。この構成では、自動運転速度を正確且つ安全にできる。
【００２３】
また、自動運転が始動された直後に、速度記憶手段８にて記憶された自動運転速度を、自動運転指令手段９にて一定の出力として保持する構成とすることもあり、その速度記憶手段８と自動運転指令手段９とで自動運転が自己保持されることもある。
【００２４】
始動操作手段１０は、ミシンモータ４を任意の所定速度で自動運転させるためにスタートするためのものであり、前記ミシン機枠１の適宜の箇所（例えば、ミシン機枠１の顎部１ａ箇所等）に設けられている。
【００２５】
解除手段１１は、ミシンモータ４の自動運転を解除し、通常の運転に変更する手段であり、前記ミシン機枠１の適宜の箇所（例えば、ミシン機枠１の顎部１ａ箇所等）に設けられている。図３の実施例では、始動操作手段１０と解除手段１１とは同一の部材にて構成されている。極めて操作しやすい利点がある。
【００２６】
また、図４の実施例では、顎部１ａに別々に独立して始動操作手段１０と解除手段１１とが設けられている。この場合でも、操作しやすいものである。
【００２７】
また、非常停止の場合には、ミシン機枠１の顎部１ａ箇所に設けた停止スイッチ１２にて操作する。
【００２８】
次に、その作用について図２に示すフローチャートに基づいて説明すると、まず、電源を入れて、ミシン運転をＯＮとし（Ｓ１参照）、コントローラ５を操作し（Ｓ２参照）、ミシンモータ４を駆動させる（Ｓ３参照）。そして、自動運転を行うか否かを検討し（Ｓ４参照）、自動運転を行いたい場合には、始動操作手段１０を操作してミシンモータ４を任意の所定速度で自動運転させる。これによって、通常縫い又は刺しゅう縫い等を自動的に所定速度にてできる。
【００２９】
このときに、その自動運転中のミシンモータ４の速度（回転数）又は該速度に応じた電流値（電流量）を記憶する（Ｓ５参照）。さらには、そのミシンモータ４の速度（回転数）又は該速度に応じた電流値（電流量）を検出し（Ｓ６参照）、自動運転速度が記憶速度と同じである場合には自動運転が続けられる（Ｓ７参照）。すなわち、運転速度が記憶速度と一致するように自動運転速度が自己保持されている。
【００３０】
次に、その自動運転の解除を行うか否かを検討し（Ｓ８参照）、自動運転を解除したい場合には、前記解除手段１１を操作してミシンモータ４の自動運転を解除し、通常の運転に変更する（Ｓ９参照）。そして、運転終了するか否かを検討し（Ｓ１０参照）、終了したい場合には、運転を終了する。
【００３１】
これらの操作の一部又は全部を繰り返してミシン縫製作業を完了するものである。勿論、自動運転を行わない場合もある。
【図面の簡単な説明】
【００３２】
【図１】本発明のブロック図
【図２】本発明のフローチャート図
【図３】本発明の略示図
【図４】本発明の別の実施例の略示図
【符号の説明】
【００３３】
１：ミシン機枠、１ａ：顎部、２：中央処理装置、４：ミシンモータ、５：コントローラ、５ａ：変換手段、６：駆動回路、７：速度検出手段、８：速度記憶手段、９：自動運転指令手段、１０：始動操作手段、１１：解除手段
【図１】
2004249143.tif 000003
【図２】
2004249143.tif 000004
【図３】
2004249143.tif 000005
【図４】
2004249143.tif 000006